(57)【要約】【課題】  軽量で、環境問題を生じにくい誘導制止棒を提供する。【解決手段】  握り部１１と、その握り部の一端から延びる発光部１３とからなり、前記発光部１３が透光性を有する筒状のケース１４と、そのケース内に配列される複数個の発光素子１５とを備えており、前記握り部１１に、発光素子に電気を供給する電解二重層コンデンサ２６を備えている誘導制止棒１０。握り部１１にはさらに、発光素子１５を点滅させる点滅回路や手元ランプ１９を備えた基板１７、１８を収容している。【選択図】  図１
2006339134.tif 000002
【特許請求の範囲】
【請求項１】
握り部（１１）と、その握り部（１１）の一端から延びる発光部（１３）とからなり、
前記発光部（１３）が透光性を有する筒状のケース（１４）と、そのケース（１４）内に配列される複数個の発光素子（１５）とを備えており、
前記握り部（１１）ないしケース（１４）内に、発光素子（１５）に電気を供給する電気二重層コンデンサ（２６）と、その電気二重層コンデンサ（２６）に蓄電する蓄電回路（３１）とを備えていることを特徴とする誘導制止棒。
【請求項２】
前記電気二重層コンデンサ（２６）から発光素子（１５）へ断続的に電気を供給させる点滅制御回路（３０）をさらに備えていることを特徴とする請求項１に記載の誘導制止棒。
【請求項３】
前記点滅制御回路（３０）が、複数の発光素子（１５）のうち少なくとも１個の発光素子（１５）と他の発光素子（１５）群とを交互に点滅させる交互点滅回路（３３）を備えていることを特徴とする請求項２に記載の誘導制止棒。
【請求項４】
前記握り部（１１）ないしその近辺に、スイッチ操作により発光／消灯が切り換わる手元ランプ（１９）が設けられていることを特徴とする請求項１に記載の誘導制止棒。
【請求項５】
前記複数個の発光素子（１５）の近辺に、それぞれ横方向に光を反射させる反射部材（１６）が設けられていることを特徴とする請求項１に記載の誘導制止棒。
【請求項６】
前記反射部材（１６）が、先端を発光素子（１５）に向けた状態で配置される円錐状ないし角錐状の反射面を有していることを特徴とする請求項５に記載の誘導制止棒。
【請求項７】
前記反射部材が、それぞれ筒状のケース（１４）内に所定の間隔をあけて嵌合保持されており、それらの反射部材が発光素子（１５）に電源を供給するコード（２２）を保持することにより、発光素子（１５）を間接的に保持していることを特徴とする請求項５に記載の誘導制止棒。
【請求項８】
前記ケース（１４）は、透光性の外ケース（５１）と、この外ケース（５１）の内側に配置される透光性の内ケース（５２）と、この内ケース（５２）の表面に配置される透光性で赤色のシート（５３）とで構成されており、
前記内ケース（５２）の内側に上下方向に沿って一対の裸硬導線（５５）が配置されていて、この一対の導線（５５）間に上下方向に所定の間隔毎で交互に逆向きに前記発光素子（１５）を配置していることを特徴とする請求項１に記載の誘導制止棒。
【請求項９】
前記内ケース（５２）の上端面及び下端面に切欠部（５４）をそれぞれ形成し、前記導線（５５）の上端及び下端に略Ｕ字状の係止部（５７）をそれぞれ形成し、該導線（５５）の係止部（５７）を前記切欠部（５４）に係止していることを特徴とする請求項８に記載の誘導制止棒。
【請求項１０】
前記導線（５５）の上下部に該導線（５５）の上端及び下端を外側に向ける折曲部（５６）を形成し、導線（５５）と前記内ケース（５２）の内面との間に隙間（５８）を設けていることを特徴とする請求項９に記載の誘導制止棒。
【発明の詳細な説明】
【技術分野】
【０００１】
本発明は誘導制止棒に関する。さらに詳しくは、交通整理や取り締まり、あるいは工事現場の車両の誘導などに用いる誘導制止棒に関する。
【背景技術】
【０００２】
【特許文献１】特開平８−６４００２号公報
【特許文献２】特開平１１−６６９２４号公報
【特許文献３】特開２０００−３０６４０１号公報
【特許文献４】特開平７−３１２１０１号公報
【０００３】
特許文献１には、複数個の発光ダイオードを２本の導線によって並列に連結し、２本の導線を点滅制御回路の基板に連結した誘導棒が開示されている。発光ダイオードは筒状の鞘（ケース）の中心部に配列され、鞘内に発光ダイオードの光を拡散する光拡散プリズムシートを配置することも開示されている。また基板は握り部と鞘とを連結する連結部に誘導棒の長手方向に配置すること、握り部を分解可能な電池ケースとして使用することも開示されている。
【０００４】
特許文献２には、円筒形状の発光部と、その下部に一体的に設けられる電源部とからなり、発光部に３色の発光ダイオードをそれぞれ複数個ずつ収容し、電源部に電源と通信機能付き制御部とを備えた誘導灯が開示されている。このものは、オンオフスイッチのほかに、３色の切り替えを行う切り替えスイッチを備えている。
【０００５】
特許文献３には、発光体としてＥＬ（エレクトロルミネッセンス）を用い、単３電池２本で長時間稼働できるようにした発光信号灯が開示されている。また特許文献４には、握り部上部に設けた電球の下方に湾曲した反射鏡を配置し、握り部に電源として乾電池を収容した誘導灯が開示されている。
【発明の開示】
【発明が解決しようとする課題】
【０００６】
前記いずれの特許文献１〜４の場合も、発光ダイオードや電球などの発光体に電気を供給する電源として、乾電池や蓄電池などの電池が使用されている。そのため、特許文献３にも記載されているように、重量が重くなり、振り回すと疲れる。さらに誘導制止棒は毎日のように使用するものであるので、電池を交換して使用済みの乾電池を廃棄することになる。そのため、資源の無駄使いや環境汚染が問題となる。本発明は軽量で、しかも環境問題を生じにくい誘導制止棒を提供することを技術課題としている。
【課題を解決するための手段】
【０００７】
本発明の請求項１に記載の誘導制止棒では、握り部１１と、その握り部１１の一端から延びる発光部１３とからなり、前記発光部１３が透光性を有する筒状のケース１４と、そのケース１４内に配列される複数個の発光素子１５とを備えており、前記握り部１１ないしケース１４内に、発光素子１５に電気を供給する電気二重層コンデンサ２６と、その電気二重層コンデンサ２６に蓄電する蓄電回路３１とを備えていることを特徴としている。
【０００８】
請求項２に記載の誘導制止棒では、前記電気二重層コンデンサ２６から発光素子１５へ断続的に電気を供給させる点滅制御回路３０をさらに備えていることを特徴としている。
【０００９】
請求項３に記載の誘導制止棒では、前記点滅制御回路３０が、複数の発光素子１５のうち少なくとも１個の発光素子１５と他の発光素子１５群とを交互に点滅させる交互点滅回路３３を備えていることを特徴としている。
【００１０】
請求項４に記載の誘導制止棒では、前記握り部１１ないしその近辺に、スイッチ操作により発光／消灯が切り換わる手元ランプ１９が設けられていることを特徴としている。
【００１１】
請求項５に記載の誘導制止棒では、前記複数個の発光素子１５の近辺に、それぞれ横方向に光を反射させる反射部材１６が設けられていることを特徴としている。
【００１２】
請求項６に記載の誘導制止棒では、前記反射部材１６が、先端を発光素子１５に向けた状態で配置される円錐状ないし角錐状の反射面を有していることを特徴としている。
【００１３】
請求項７に記載の誘導制止棒では、前記反射部材が、それぞれ筒状のケース１４内に所定の間隔をあけて嵌合保持されており、それらの反射部材が発光素子１５に電源を供給するコード２２を保持することにより、発光素子１５を間接的に保持していることを特徴としている。
【００１４】
請求項８に記載の誘導制止棒では、前記ケース１４は、透光性の外ケース５１と、この外ケース５１の内側に配置される透光性の内ケース５２と、この内ケース５２の表面に配置される透光性で赤色のシート５３とで構成されており、
前記内ケース５２の内側に上下方向に沿って一対の裸硬導線５５が配置されていて、この一対の導線５５間に上下方向に所定の間隔毎で交互に逆向きに前記発光素子１５を配置していることを特徴としている。
【００１５】
請求項９に記載の誘導制止棒では、前記内ケース５２の上端面及び下端面に切欠部５４をそれぞれ形成し、前記導線５５の上端及び下端に略Ｕ字状の係止部５７をそれぞれ形成し、該導線５５の係止部５７を前記切欠部５４に係止していることを特徴としている。
【００１６】
請求項１０に記載の誘導制止棒では、前記導線５５の上下部に該導線５５の上端及び下端を外側に向ける折曲部５６を形成し、導線５５と前記内ケース５２の内面との間に隙間５８を設けていることを特徴としている。
【発明の効果】
【００１７】
本発明の請求項１に記載の誘導制止棒によれば、電池を用いずに、電気を蓄電した電気二重層コンデンサ２６を電源として採用している。そのため、軽量に構成することができ、使用済みの電池が生じない。発光素子１５は複数個であるから、充分な光量を維持できる。
【００１８】
請求項２に記載の誘導制止棒によれば、前記電気二重層コンデンサ２６から発光素子１５へ断続的に電気を供給させる点滅制御回路３３をさらに備えているので、この誘導制止棒１０は、周囲の人に注意を喚起し、視認されやすく、しかも使用電力を少なくすることができる。
【００１９】
請求項３に記載の誘導制止棒によれば、点滅制御回路３３が、複数の発光素子１５のうち少なくとも１個の発光素子１５と他の発光素子１５群とを交互に点滅させる交互点滅回路を備えている場合は、他の発光素子１５群が消えているときに、少なくとも１個の発光素子１５が点灯するので、全体の明るさがそれほど低下しない。それにより他の発光素子１５群の発光時間を短くしても、違和感が少ない。
【００２０】
請求項４に記載の誘導制止棒によれば、前記握り部１１ないしその近辺に、スイッチ操作により発光／消灯が切り換わる手元ランプ１９が設けられているので、別個に懐中電灯などを携帯する必要がない。たとえば夜間、警察官などが制止した自動車の運転手の免許証などを見る場合に、手に持っている誘導制止棒１０の手元ランプ１９で免許証などを照らすことができる。
【００２１】
請求項５に記載の誘導制止棒によれば、前記複数個の発光素子１５の近辺に、横方向に光を反射させる反射部材１６が設けられているので、発光部１３の全体が明るくなり、横方向からの視認性が高くなる。
【００２２】
請求項６に記載の誘導制止棒によれば、反射部材１６が、先端を発光素子１５に向けた状態で配置される円錐状の反射面を有しているので、視認できる範囲が広くなり、角錐状の反射面を有する場合は、発光体の数が多数有るように見える。そのため、視認性が一層高くなる。
【００２３】
請求項７に記載の誘導制止棒によれば、前記反射部材が、それぞれ筒状のケース１４内に所定の間隔をあけて嵌合保持されており、それらの反射部材が発光素子１５に電源を供給するコード２２を保持することにより、発光素子１５を間接的に保持し、反射部材がコード２２および発光素子１５を保持するので、コード２２の振れ止めになる。そのため、他の保持部材が不要で、構成がシンプルになる。
【００２４】
請求項８に記載の誘導制止棒によれば、前記ケース１４は、透光性の外ケース５１と、この外ケース５１の内側に配置される透光性の内ケース５２と、この内ケース５２の表面に配置される透光性で赤色のシート５３とで構成されており、前記内ケース５２の内側に上下方向に沿って一対の裸硬導線５５が配置されていて、この一対の導線５５間に上下方向に所定の間隔毎で交互に逆向きに前記発光素子１５を配置しているので、発光素子１５の固定が容易となり、組み立ての作業効率を向上させることができる。また、内ケース５２の表面にシート５３を設けているので、ケース１４全体を略均一に点灯／点滅させることができる。なお、前記シート５３を任意の色彩のものを使用することで、所望の色を点灯／点滅させることも可能となる。
【００２５】
請求項９に記載の誘導制止棒によれば、前記内ケース５２の上端面及び下端面に切欠部５４をそれぞれ形成し、前記導線５５の上端及び下端に略Ｕ字状の係止部５７をそれぞれ形成し、該導線５５の係止部５７を前記切欠部５４に係止しているので、簡単な構成で一対の導線５５を内ケース５２に固定させることができる。
【００２６】
請求項１０に記載の誘導制止棒によれば、前記導線５５の上下部に該導線５５の上端及び下端を外側に向ける折曲部５６を形成し、導線５５と前記内ケース５２の内面との間に隙間５８を設けているので、誘導制止棒１０を振った際に導線５５が内ケース５２に当たるのを防止でき、そのため、誘導制止棒１０を振った場合に音が発生せず、使用者に不安感を与えることもない。
【発明を実施するための最良の形態】
【００２７】
つぎに図面を参照しながら本発明の誘導制止棒の実施の形態を説明する。図１は本発明の誘導制止棒の一実施形態を示す一部切り欠き側面図、図２ａおよび図２ｂはそれぞれ図１の誘導制止棒の発光部および握り部の要部拡大図、図３は図２のIII-III 線断面図、図４ａおよび図４ｂはそれぞれ本発明に関わる反射部材の一実施形態を示す拡大斜視図、図５および図６はそれぞれその誘導制止棒の電気回路関係を示すブロック図および電気回路図、図７は本発明の誘導制止棒の他の実施形態における発光の順序を示す工程図、図８ａおよび図８ｂはそれぞれ本発明に関わる反射部材の他の実施形態を示す断面図および斜視図、図９は本発明に関わるキャップ保持手段の一実施形態を示す断面側面図、図１０は本発明に関わるキャップ保持手段の他の実施形態を示す要部側面図、図１１は本発明の誘導制止棒の電気回路関係の他の実施形態を示す電気回路図、図１２は本発明の第２の実施形態の一部切り欠いたケースの斜視図、図１３は本発明のケースの断面図、図１４は本発明のケースの平面図、図１５は本発明の発光素子の配置状態を示す説明図である。
【００２８】
図１に示す誘導制止棒１０は、下端に設けられる握り部１１と、その握り部の上端の連結部１２に連結されて上方に延びる発光部１３とから構成されている。発光部１３は透光性を有する筒状のケース１４と、そのケース内に配列される複数個の発光素子１５と、それぞれの発光素子に対向するように設けられる反射部材１６とを備えている。握り部１２の外面には、操作用のスイッチＳＷが設けられており、筒状の握り部１１の内部には、基板１７、１８が収容されている。さらに握り部１１の上部には、手元ランプ１９が設けられている。
【００２９】
ケース１４は、円筒状を呈し、光を散乱させる乳白色あるいは赤色半透明の合成樹脂などで構成している。ケース１４の上端は、有底筒状のキャップ２０で閉じられている。キャップ２０は透明な合成樹脂製であり、レンズの作用を奏するように、中央部を厚くしてもよい。ケース１４の下端は開放されて握り部１１上端の連結部１２に嵌合され、シール材を介してネジなどで固定されている。
【００３０】
図２ａに示すように、ケース１４の内部には、反射部材１６が下向きに凸となるように、所定の間隔をあけて複数個固定されている。反射部材１６は略円錐状の部材であり（図４ａ参照）、反射面を形成する円錐状の傾斜部１６ａとその周囲の円筒状の筒部１６ｂとからなり、筒部１６ｂをケース１４の内面に嵌合させて保持している。反射部材１６の傾斜部１６ａには、２個の貫通孔２１が中心に対して対称の位置に形成され、それらの貫通孔２１に発光素子１５に電源を供給するコード２２が通されている。反射部材１６は透明な、あるいは透光性を有する合成樹脂製である。ただし金属製、とくに表面に鏡面状のメッキを施した金属板製であってもよい。合成樹脂に金属メッキを施したものでもよい。また、反射部材１６は省略することもできる。
【００３１】
それぞれの発光素子１５は前述の２本のコード２２によって上を向くように保持され、反射部材１６の頂点の下方に配置されている。したがって発光素子１５は間接的に反射部材１６によって保持されている。なお、２本のコード２２は、束ねるようにしてもよいが、離しておく方が反射部材１６に対して安定的に保持される。
【００３２】
前記発光素子１５としては、発光ダイオード（ＬＥＤ）が好ましく、高輝度発光ダイオード、とくに超高輝度発光ダイオードが好ましい。発光ダイオード以外の発光素子としては白熱ランプ、エレクトロルミネッセンスなどを用いることもできるが、消費電力が少なく、輝度が高い発光ダイオードが好ましい。発光素子１５は通常は赤色の光を出すものが用いられるが、他の色であってもよい。また、ケース１４を赤色の半透明にする場合は、発光素子は白色とすることができる。それぞれの発光素子１５は前述の２本のコード２２によって保持され、反射部材１６の頂点の下方に配置されている。したがって発光素子１５は間接的に反射部材１６によって保持されている。
【００３３】
そして発光素子１５が発光すると、図４ａに示すように光の一部が反射部材１６の傾斜面によって反射され、ケース（図２ａの符号１４）を通して誘導制止棒１０の軸線に対してほぼ直角方向に放射される。傾斜面は円錐状であるので、どの方向から見ても反射光が見える。そのため、視認性が高い。なお、図４ｂに示すように、反射部材１６を四角錐などの角錐状に形成することもできる。いずれの場合も、発光素子１５および反射部材１６は３〜８個程度、とくに４〜６個程度が好ましい。それぞれの発光素子１５は２本のコード２２に並列に接続されている。
【００３４】
図２ｂに示すように、前記握り部１１は合成樹脂などからなる筒状の部材であり、下端にネジで螺合されるキャップ２３が取り付けられている。キャップ２３と握り部１１の間にはＯリング２３ａなどのシールが介在されている。握り部１１の上部外周には、前述の操作用のスイッチＳＷが設けられている。スイッチＳＷは１回押すと発光部１３の発光素子１５が点滅し、再度押すと消灯する第１スイッチＳＷ１と、１回押すと手元ランプ１９が点灯し、再度押すと消灯する第２スイッチＳＷ２とからなるものが好ましい。ただしシーソータイプのスイッチなどの選択スイッチを設けてもよい。
【００３５】
前記握り部１１は、通常は不透明の合成樹脂などで構成される筒状の部材であり、その内面には、２枚の基板１７、１８が間隔をあけて配置されている。それらの基板１７、１８は、図３に示すように握り部１１の内面に設けた溝２４、２５に挿入されて保持されている。一枚の基板１７には、電源用の電気二重層コンデンサ（キャパシタ）２６が取り付けられており、上端に手元ランプ（図１の符号１９）が取り付けられている。手元ランプ１９としては、消費電力が少ない発光ダイオードが好ましいが、電球など、他のランプであってもよい。図３の場合は電気二重層コンデンサ２６が２個設けられている。ただし発光素子に求められる明るさや充電間隔などに応じて、１個でもよく、３個以上でもよい。
【００３６】
他方の基板１８には、後述する制御回路などを構成する素子が配列されている。それぞれの基板１７、１８はプリント基板であり、基板上に配線が一体に形成されている。図５のブロック図はそれらの基板１７、１８に設けられている制御回路３０を概略的に示している。制御回路３０は前述の電気二重層コンデンサ２６を含む蓄電回路３１と、スイッチＳＷを含む切り替え回路３２と、点滅回路３３と、手元ランプ１９を発光させる回路３４とを備えている。点滅回路３３には、先述のコード（図２ａの符号２２）を介して発光素子１５が連結されている。
【００３７】
蓄電回路３１は従来の誘導制止棒における電池の働きをする電気二重層コンデンサ２６を備えている。それらの電気二重層コンデンサ２６は、１０Ｆ（ファラッド）以上、好ましくは６０〜１２０Ｆ程度の大容量のものであり、図６に示すようにたとえば６０Ｆのものを２個直列に接続することができる。なお、並列に接続することもできる。蓄電回路３１には、１００Ｖの交流から７．５Ｖの直流に変換するＤＣアダプタ、あるいは自動車の電源として一般的なＤＣ１２Ｖのコネクタからの電源をＤＣ７．５Ｖに変換するコンバータなどを設けることができる。アダプタやコンバータは、コネクタを介して別個に設けることもできる。
【００３８】
前記切り替え回路３２は、蓄電回路３１と点滅回路３３の間に介在され、さらに手元ランプ１９を発光させる回路３３の接続／遮断を切り替えるためのスイッチＳＷ１、ＳＷ２の接点を含んでいる。手元ランプ１９を発光させる回路３４は、点滅をせずに常時発光させるものである。点滅回路３３は、発光部１２の上部の５個の発光素子１５を点滅させながら発光させる回路である。それらの制御回路は図６に具体的に示している。
【００３９】
図６の符号Ｑは５個の発光素子（発光ダイオード）１５の点灯／消灯を制御するためのトランジスタである。符号ＬＴ１は発光素子１５の点灯時間（光っている時間）を調節するためのコンデンサおよび抵抗からなる公知の点灯時間調節回路である。符号ＬＴ２は点灯の間隔、すなわち消灯している時間を設定するためのコンデンサなどからなるインターバル回路である。また、符号ＡＤは電気二重層コンデンサ２６に充電するための端子である。
【００４０】
符号ＬＥＤ４は電気二重層コンデンサ２６の充電が完了したことを示すパイロットランプであり、赤色の発光ダイオードを用いるのが好ましい。符号ＬＥＤ５は、充電中であることを示すパイロットランプであり、緑色の発光ダイオードを用いるのが好ましい。
【００４１】
符号Ｕ２はシュミットトリガ・インバータを複数個備えているＩＣチップであり、符号Ｕ３はフリップフロップを複数個備えているＩＣチップである。図６の右側のフリップフロップＵ３は、発光部（図１の符号１３）の５個の発光素子１５を第１スイッチＳＷの操作で作動（点滅状態）と非作動とを切り換えるためのものである。これにより第１スイッチＳＷ１を１回押すと点滅作動になり、もう１回押すと非作動状態に切り替わる。左側のフリップフロップＵ３は手元ランプ１９の点灯と消灯を切り換えるためのものであり、第２スイッチＳＷ２を１回押すと点灯し、もう１回押すと消灯する。
【００４２】
前記手元ランプ１９は、たとえば交通規制をしている警察官が、自動車の運転手の顔を確認したり、免許証の提示を求めてその場で見るときに、点灯させて用いる。そのため、通常の白色ないし昼光色の発光ダイオードが好ましい。このような手元ランプ１９を設けることにより、別個の懐中電灯を持たなくても済む。ただし警察官は通常は懐中電灯を携帯しているので、要望がなければ手元ランプ１９を省略することもできる。手元ランプ１９を発光させる場合は、発光部１３の発光素子１５は消灯させるように構成するのが好ましい。それにより消費電力を抑制することができる。
【００４３】
上記のように構成される誘導制止棒１０は、家庭用の交流電源や自動車のバッテリなどからあらかじめ電源用の電気二重層コンデンサ２６に充電しておく。フル充電に要する時間は数分程度である。使用時は、たとえば第１スイッチＳＷ１を１回押すと、発光部１３の発光素子１５が一斉に点滅する。それにより使用者は誘導制止棒１０を左右または前後に振って、通行／停止の合図をすることができる。また、第２スイッチＳＷ２を１回押すと手元ランプ１９を点灯させることができ、夜間に運転免許証などを見ることができる。もう１回押すと消灯する。
【００４４】
上記の誘導制止棒１０は、電池を用いずに電気二重層コンデンサ２６に蓄電した電力を使用して発光素子１５を発光させている。そのため、軽量で、電池の交換が不要である。そして電池を交換する必要がないため、環境保護に役立つ。さらにコンデンサにフル充電する時間は数分程度であり、充電可能な二次電池のフル充電に要する時間（１〜２時間程度）に比して、はるかに短時間で済む。そのため、たとえば使用している途中でコンデンサの電気がなくなっても、自動車のバッテリなどから短時間で充電することができる。なお、コンデンサの容量は、発光素子の個数および使用電力によっても異なるが、上記のような使用形態で少なくとも１日（一晩）程度もつようにするのが好ましい。
【００４５】
前記実施の形態では、すべての発光素子１５を一斉に点滅させているが、発光素子１５を２つのグループに分けて、交互に点滅させることもできる。たとえば図７に示す実施形態では、上側の５個の発光素子１５ａ〜ｅと下端の発光素子１５ｆとが交互に点滅するようにしている。点滅時間は上側の５個の発光素子１５ａ〜ｅがＴ１秒間点灯し、ついで全体がＴ２秒程度消灯し、ついで下端の発光素子１５ｆがＴ３秒点灯し、ついで全体がＴ４秒程度消灯するというサイクルを繰り返す。５個の発光素子１５ａ〜ｅの点灯時間Ｔ１は視認できる程度で、しかも電力を消耗しないようにできるだけ短い時間、たとえば０．０１〜０．０３秒程度が好ましい。
【００４６】
その後の全体が消灯する時間は、発光の残像が残留程度の時間、たとえば０．３〜０．８秒程度が好ましい。１個の発光素子１５ｆの点灯時間も前述の場合と同程度、たとえば０．０１〜０．０３秒程度が好ましい。それにより点灯時間がある程度継続しているように見え、暗い時間が長く続く印象を和らげることができる。その後の全体が消灯する時間Ｔ４は、点灯が継続しているように見える程度で、しかも電気の消耗が少ないようにできるだけ長い時間、たとえば０．５〜２秒程度が好ましい。
【００４７】
前述のように、５個の発光素子１５ａ〜ｅを一斉に点灯させるのは、一瞬でも強く光らせて、見ている者に対して「明るく光った」という印象を与えるためである。５個の発光素子が消灯した後、一定時間後に１個の発光素子１５ｆを点灯させるのは、５個の発光素子が発光する間隔が大きいと、白熱電灯を用いる場合などに比して暗い時間が長い、という印象が生ずるので、それを和らげ、ある程度「光っている状態が継続している」という印象を与えるためである。そのため、両者の間隔を０．５〜０．８秒程度とすれば、１個の発光素子でも充分である。
【００４８】
上記のような順序で点滅させることにより、電力の使用量を少なくし、しかも白熱電灯に似せた自然な点滅を表現することができる。なお、上記の実施形態では、５個と１個に分けているが、４個と２個に分けてもよい。その場合は、１個を上から３番目に配置し、もう１個を下端に設けるのが好ましい。また、７個以上の発光素子を用いる場合は、６個と１個、５個と２個などに分けることもでき、Ｎ個の発光素子を用いる場合は、Ｎ−１個と１個、Ｎ−２個と２個、Ｎ−３と３個などに分けることができる。また、後で発光させる１〜２個の発光素子の後、さらに間隔をあけて１〜２個の発光素子を瞬間的に発光させてもよい。
【００４９】
図８ａ、図８ｂは反射部材の他の実施形態を示している。この反射部材３６は、図４ａ、図４ｂの反射部材１６とは異なり、いわばプリズムと同様に、光が透明体の内部から外部へ出るときの境界で反射することを利用している。すなわち反射部材３６は合成樹脂、ガラスなどの透明体で構成され、上面に円錐状、角錐状あるいは三角柱状の窪み３７を形成しており、底面側に発光素子１５を収容する凹部３８を備えている。したがって発光素子１５から出てくる光は、透明体の内部に入り、窪み３７の境界面で反射して側方に放射される。さらにこの反射部材３６は発光素子１５の保護カバーとして作用する。窪み３７には、反射効率を高めるため、金属メッキを施してもよい。
【００５０】
この反射部材３６は略円柱状の形態を呈し、上部に円板状の突片３９を備えている。突片３９は円筒状のケース（図２の符号１４参照）の内面と嵌合して保持される。突片３９は図８ｂに示すように、部分的に突出している。突片３９には左右のコード２２を通して保持するための切り欠きないし貫通孔４０が形成されており、それによりコード２２を介して発光素子１５を保持する。さらにこの実施形態では、反射部材３６の下面に発光素子１５のリード線２２ａを通して固定するための溝４１が半径方向に形成されている。リード線２２ａは溝４１に対し、熱接着ないし接着剤により、接合しておくと、発光素子１５と反射部材３６の一体性が高くなるので、組立作業が容易になる。前記突片３９は、円板状のフランジにして全周でケース１４の内面と嵌合させてもよい。なお、突片３９やフランジを設けず、反射部材３６の全体をケース１４と嵌合する円柱状に構成することもできる。
【００５１】
このように、この実施の形態では、反射部材３６が、それぞれ筒状のケース１４内に所定の間隔をあけて嵌合保持されており、それらの反射部材３６が発光素子１５に電源を供給するコード２２を保持することにより、発光素子１５を間接的に保持し、反射部材がコード２２および発光素子１５を保持するので、コード２２の振れ止めになる。そのため、他の保持部材が不要で、構成がシンプルになる。
【００５２】
図１〜２の誘導制止棒１０では、握り部１１内のコンデンサに充電するとき、キャップ２３を取り外す。その場合、外したキャップ２３が見つからなくなることがある。そのため、取り外したキャップ２３をなくさないように保持するキャップ保持手段を設けることが望まれる。図９および図１０の誘導制止棒では、そのような要望に応えるため、キャップ保持手段を設けている。
【００５３】
図９のキャップ保持手段は、誘導制止棒の上端のキャップ２０の外周に設けた雄ネジ４２によって構成している。この雄ネジ４２は、握り部１１のキャップ２３の雌ネジと螺合するものであり、１〜２周程度で充分である。また、全周でなくてもよく、２条ネジ、３条ネジなどでもよい。このような雄ネジ４２からなるキャップ保持手段を設ける場合は、使用者がコンデンサに充電するためにキャップ２３を握り部１１から取り外したとき、ただちに上端のキャップ２０の雄ネジ４２に軽く螺合させておく。それによりキャップ２３がなくなることがない。なお、雄ネジ４２に代えて、キャップ２３を弾力的に係止する係止舌片を設けることもできる。
【００５４】
図１０のキャップ保持手段は、握り部１１とキャップ２３を連結するベルト４３によって構成している。ベルト４３に代えて、ひも、ワイヤなどで連結してもよい。図１０の場合は、ベルト４３の一端をキャップ２３の中心部に設けた突出部４４に回転自在に取り付けており、自由端４５を握り部１１の上部に設けた係止部４６で折り返し、ベルト４３の他の部分４７に重ねて面ファスナ４８などで着脱自在に接合できるように構成している。
【００５５】
すなわち自由端４５の内面に面ファスナ４８の一片を取り付け、他の部分４７の外面に面ファスナの他片を取り付けている。そのため、使用者は握り部１１を握った後、ベルト４３を充分に手の甲に密着させるように絞った状態で、面ファスナ同士を接合させればよい。それにより手を離しても、誘導制止棒が手から離れず、うっかり落すことを防止することができる。なお、面ファスナに代えて、ホック、ボタン、スナップなどの接合部材を用いることもできる。ただし面ファスナのように、連続的にベルト長さを調節できるものが好ましい。
【００５６】
図１１は図１の誘導制止棒１０の電気回路の他の実施形態を示している。この電気回路では、発光素子１５と手元ランプ１９の切替用および点灯／消灯の切替用の操作スイッチＳＷとして、シーソースイッチを採用している。他の部分は図６の回路図と同じであるので、同じ符号を付して説明を省略する。この電気回路では、図６のフリップフロップＵ３を備えたＩＣチップを省略できる。
【００５７】
（第２の実施の形態）
次に、図１２〜図１５により第２の実施形態について説明する。本実施形態は特に発光部１３に対応した他の実施形態に対応するものであり、透光性（例えば、透明）で上下を貫通した円筒状の合成樹脂製からなる外ケース５１と、この外ケース５１内に所定の隙間を介して配置される内ケース５２とでケース１４を構成している。上記内ケース５２は、外ケース５１と同様に透光性（例えば、透明）で上下を貫通した円筒状の合成樹脂製からなっている。また、内ケース５２の外表面の全体にわたって透光性で赤色の合成樹脂製からなるフィルム状のシート５３を巻装している。なお、本実施形態では、先の実施形態とは異なり、反射部材は用いていない。
【００５８】
なお、上記シート５３は、本実施形態では赤色のものを使用しているが、任意の色彩のシート５３を使用しても良い。例えば、黄色、青色などであり、任意の色彩のシート５３を使用することで、所望の色を点滅／点灯させることができる。
また、このシート５３を光拡散性のものを用いるようにしても良い。この場合は、ケース１４の表面を一層均一に光らせることができる。
【００５９】
上記内ケース５２の上端面と下端面にはそれぞれ対向する位置に切欠部５４がそれぞれ形成されている。そして、上記コード２２に対応しているものであって硬くて例えば、裸銅線からなる一対の導線５５を内ケース５２内に上記切欠部５４を介して配設している。すなわち、導線５５の上部及び下部の折曲部５６より外ケース５１側に向かって少し傾斜させると共に、導線５５の上端及び下端に略Ｕ字状の係止部５７を形成し、この係止部５７にて内ケース５２の切欠部５４を引っ掛け係止することで、一対の導線５５を内ケース５２の内側に固定配置している。
また、導線５５を内ケース５２内に配設した場合に、折曲部５６を設けていることで、導線５５と内ケース５２の内面との間に一定の隙間５８が形成されるようにしている。この隙間５８により誘導制止棒１０を振った際に導線５５が内ケース５２に接触しないようにしている。
【００６０】
次に、発光ダイオードからなる発光素子１５の配置構成について説明する。図１２、図１４及び図１５に示すように、発光素子１５は、交互に逆向きであって所定の間隔毎に上下方向に配置しており、発光素子１５のリード線１５ａを外方向に拡開し、該リード線１５ａを導線５５にそれぞれハンダ付け等の手段にて固着している。これにより、各発光素子１５を一対の導線５５間に架橋する形で固定している。なお、発光素子１５の発光部が導線５５間の略中央に配置されるように導線５５にリード線１５ａを接続している。発光素子１５のリード線１５ａを一対の導線５５にハンダ付けしているので、全体が略はしご形状となって剛性が向上し、導線５５自体もケース１４に安定して取り付けられる。
また、発光素子１５の数としては、例えば、一方側に５個、他方側に６個配置して、全部で１１個の発光素子１５を配置している。もちろん、発光素子１５の数は任意に設定できるものであり、１１個に限定されるものではない。
【００６１】
このように本実施形態では、内ケース５２内に一対の導線５５を切欠部５４と係止部５７を介して配設し、導線５５間に発光素子１５を上下方向に所定の間隔毎に交互に配置しているので、発光素子１５の固定が容易となり、組み立ての作業効率を向上させることができる。また、内ケース５２の表面にシート５３を設けているので、ケース１４全体を略均一に点滅ないし点灯させることができる。
また、内ケース５２の上端面及び下端面に切欠部５４をそれぞれ形成し、前記導線５５の上端及び下端に略Ｕ字状の係止部５７をそれぞれ形成し、該導線５５の係止部５７を前記切欠部５４に係止しているので、簡単な構成で一対の導線５５を内ケース５２に固定させることができる。
【００６２】
また、一対の導線５５の下部には握り部１１内に配設されている基板１７、１８からの一対のリード線６０が接続されている。なお、このリード線６０はビニールなどの被覆電線であり、上記導線５５とは異なり柔軟性を有している。
また、発光素子１５の光軸はケース１４の半径方向を向いているので、反射部材を設けなくても、ケース１４あるいはシート５３を強く照らすことができる。
【００６３】
各発光素子１５は、図５に示す点滅回路３３により一斉に点滅駆動されるようになっているが、先の実施形態と同様に個別に点滅制御されるようにしても良い。また、内ケース５２及び外ケース５１からなる２重のケース１４の握り部１１への固定は、特に本発明の要旨ではないので、詳細な説明は省略するが、例えば、嵌合などにて握り部１１側に固定されている。なお、キャップ２０は、先の実施形態と同様に外ケース５１にネジ止めなどにて装着されている。
【００６４】
また、導線５５の上下部に該導線５５の上端及び下端を外側に向ける折曲部５６を形成し、導線５５と前記内ケース５２の内面との間に隙間５８を設けているので、誘導制止棒１０を振った際に導線５５が内ケース５２に当たるのを防止でき、そのため、誘導制止棒１０を振った場合に音が発生せず、使用者に不安感を与えることもない。
【図面の簡単な説明】
【００６５】
【図１】本発明の誘導制止棒の一実施形態を示す一部切り欠き側面図である。
【図２】図２ａおよび図２ｂはそれぞれ図１の誘導制止棒の発光部および握り部の要部拡大図である。
【図３】図２のIII-III 線断面図である。
【図４】図４ａおよび図４ｂはそれぞれ本発明に関わる反射部材の一実施形態を示す拡大斜視図である。
【図５】図１の誘導制止棒の電気回路関係を示すブロック図である。
【図６】図１の誘導制止棒の電気回路関係を示す電気回路図である。
【図７】本発明の誘導制止棒の他の実施形態における発光の順序を示す工程図である。
【図８】図８ａおよび図８ｂはそれぞれ本発明に関わる反射部材の他の実施形態を示す断面図および斜視図である。
【図９】本発明に関わるキャップ保持手段の一実施形態を示す断面側面図である。
【図１０】本発明に関わるキャップ保持手段の他の実施形態を示す要部側面図である。
【図１１】本発明の誘導制止棒の電気回路関係の他の実施形態を示す電気回路図である。
【図１２】本発明の誘導制止棒の第２の実施の形態における一部切り欠いたケースの斜視図である。
【図１３】本発明の誘導制止棒の第２の実施の形態におけるケースの断面図である。
【図１４】本発明の誘導制止棒の第２の実施の形態におけるケースの平面図である。
【図１５】本発明の誘導制止棒の第２の実施の形態における発光素子の配置状態を示す説明図である。
【符号の説明】
【００６６】
１０  誘導制止棒
１１  握り部
１２  連結部
１３  発光部
１４  ケース
１５、１５ａ〜ｆ  発光素子
１６  反射部材
１６ａ  傾斜部
１６ｂ  筒部
ＳＷ  スイッチ
１７、１８  基板
１９  手元ランプ
ＳＷ  スイッチ
２０  キャップ
２１  貫通孔
２２  コード
２２ａ  リード線
２３  キャップ
２３ａ  Ｏリング
２４、２５  溝
２６  電気二重層コンデンサ
３０  制御回路
３１  蓄電回路
３２  切り替え回路
３３  点滅回路
３４  手元ランプを発光させる回路
Ｑ  トランジスタ
ＬＴ１  点灯時間制御回路
ＬＴ２  インターバル回路
ＡＤ  充電用接点
Ｕ２  シュミットトリガ・インバータ
Ｕ３  フリップフロップ
Ｔ１、Ｔ３  点灯時間
Ｔ２、Ｔ３  消灯時間
３６  反射部材
３７  窪み
３８  凹部
３９  フランジ
４０  切り欠き
４１  溝
４２  雄ネジ
４３  ベルト
４４  突出部
４５  自由端
４６  係止部
４７  他の部分
４８  面ファスナ
５１  外ケース
５２  内ケース
５３  シート
５４  切欠部
５５  導線
５６  折曲部
５７  係止部
５８  隙間
【図１】
2006339134.tif 000003
【図２】
2006339134.tif 000004
【図３】
2006339134.tif 000005
【図４】
2006339134.tif 000006
【図５】
2006339134.tif 000007
【図６】
2006339134.tif 000008
【図７】
2006339134.tif 000009
【図８】
2006339134.tif 000010
【図９】
2006339134.tif 000011
【図１０】
2006339134.tif 000012
【図１１】
2006339134.tif 000013
【図１２】
2006339134.tif 000014
【図１３】
2006339134.tif 000015
【図１４】
2006339134.tif 000016
【図１５】
2006339134.tif 000017